(57)【要約】【課題】スペースの無駄を低減できて小型化が図れる車載リレーボックスを提供する。【解決手段】この車載リレーボックス１では、リレー５についてのその給電制御の対象とする車載システムに用意された複数の仕様の中の一の仕様に対する仕様５Ａを構成する単体リレー５Ａ２の搭載スペースＳ２が、そのリレー５についての前記車載システムの前記複数の仕様の中の他の仕様に対する仕様５Ｂを構成する単体リレー５Ｂ１の搭載スペースとして兼用される様にして、そのリレー５についての前記車載システムの複数の仕様の各々に対する各仕様５Ａ，５Ｂを構成する各単体リレー５Ａ１，５Ａ２，５Ａ３，５Ｂ１の搭載スペースＳ１〜Ｓ３が形成される。【選択図】        図１
2004173446.tif 000002
【特許請求の範囲】
【請求項１】
複数の仕様の用意された車載システム内の負荷の給電制御に使用されるリレーが、前記車載システムの前記複数の仕様の中から選ばれた一の仕様に応じて、１つ以上の単体リレーの組合せにより異なる仕様に構成されて搭載される車載リレーボックスであって、
前記リレーについての前記車載システムの前記複数の仕様の中の一の仕様に対する仕様を構成する前記各単体リレーの搭載スペースが、前記車載システムの前記複数の仕様の中の他の仕様に対する仕様を構成する前記各単体リレーの搭載スペースとして兼用される様にして、前記リレーについての前記車載システムの前記複数の仕様の各々に対する各仕様を構成する前記各単体リレーの搭載スペースが形成されることを特徴とする車載リレーボックス。
【請求項２】
前記リレーの前記各仕様を構成する前記各単体リレーはそれぞれ、その外形が同一形状及び同一寸法に標準化されることを特徴とする請求項１に記載の車載リレーボックス。
【請求項３】
前記リレーの前記各仕様を構成する前記各単体リレーはそれぞれ、半導体リレーとして構成されることを特徴とする請求項２に記載の車載リレーボックス。
【発明の詳細な説明】
【０００１】
【発明の属する技術分野】
本発明は、車載システム内の負荷の給電制御に使用されるリレーが搭載される車載リレーボックスに関する。
【０００２】
【従来の技術】
通常、車載リレーボックスに搭載されるリレーは、その給電制御の対象とする車載システムの仕様に応じて最適な仕様のもの（即ち最適な１つ以上のメカリレーの組合せ）が選定される。
【０００３】
ところが、車載システムの中には複数の仕様が用意されているものがあり、その様な車載システム内の負荷の給電制御に使用されるリレーは、選ばれたその車載システムの仕様に応じて、その仕様を変更する必要がある。
【０００４】
その為、通常、複数の仕様の中のどの仕様が選ばれても、選ばれたその給電制御の対象とする車載システムの仕様に合った仕様でリレーを搭載できる様に、車載リレーボックスには、そのリレーについてのその給電制御の対象とする車載システムに用意された複数の仕様の各々に対する各仕様の搭載スペース（詳細にはその仕様を構成する各メカリレーの搭載スペース）が形成されている。
【０００５】
又、一般的に、上記リレーの各仕様を構成する各メカリレーの外形の形状及び寸法はそれぞれ、そのメカリレーのスペック（発熱による制限に影響する定格電流及び接点寿命に影響する突入電流耐性など）に応じて異なり、そのメカリレーのスペックは、そのメカリレーの構成する上記リレーの仕様に応じて異なる。その為、一般的には、上記リレーの各仕様を構成する各メカリレーの外形の形状及び寸法はそれぞれ、そのリレーの各仕様毎に異なる。
【０００６】
その為、従来の車載リレーボックスでは、上記リレーの各仕様を構成する各メカリレーの搭載スペースは、そのリレーの各仕様毎に個別に形成されている。尚、更に他の車載システムを給電制御の対象とする他のリレーも同時に搭載される場合は、それら各リレーの各仕様を構成する各メカリレーの搭載スペースは、それら各リレー毎に個別に形成されている。
【０００７】
図４はこの様な従来の車載リレーボックスの一例の模式図である。図４の車載リレーボックス１００は、例えば、２つのファン回転数制御の仕様（図６のファン直並列制御仕様３Ａ及び図７のファン回転数制御仕様３Ｂ）が用意されたファン制御システム３内のファンＦの給電制御に使用されるリレー５を、その車載システム３の仕様３Ａ，３Ｂの中から選ばれた仕様に応じて、異なる仕様５Ａ又は５Ｂで搭載すると共に、２つの仕様（図８の通常制御仕様７Ａ及び図９のＨＩＤ制御仕様７Ｂ）が用意されたライト制御システム７内のランプＲの給電制御に使用されるリレー９を、その車載システム７の仕様７Ａ，７Ｂの中から選ばれた仕様に応じて、異なる仕様９Ａ又は９Ｂで搭載するものである。
【０００８】
ここでは、ファン制御システム３の仕様３Ａに使用されるリレー５の仕様５Ａは、例えば図６の様に３つのメカリレー５Ａ１，５Ａ２，５Ａ３の組合せにより構成される。ファン制御システム３の仕様３Ｂに使用されるリレー５の仕様５Ｂは、例えば図７の様に１つのメカリレー５Ｂ１により構成される。尚、メカリレー５Ｂ１は、それ１つでファン２つ分の給電制御を行うので、各メカリレー５Ａ１，５Ａ２，５Ａ３よりも大型のものが使用されている。ライト制御システム７の仕様７Ａ（７Ｂ）に使用されるリレー９の仕様９Ａ（９Ｂ）は、例えば図８（図９）の様に１つのメカリレー９Ａ１（９Ｂ１）により構成される。尚、ＨＩＤ制御されるランプＲの突入電流は、ＨＩＤ制御されないランプＲの突入電流よりも大きくなるので、ＨＩＤ制御されるランプＲの給電制御も行うメカリレー９Ｂ１は、ＨＩＤ制御されないランプＲの給電制御だけを行うメカリレー９Ａ１よりも突入電流耐性の優れたもの（即ち外形の形状及び寸法の異なるもの）が使用されている。
【０００９】
そして、車載リレーボックス１００には、図４の様に、各リレー５，９の各仕様５Ａ，５Ｂ，９Ａ，９Ｂ毎に、その仕様５Ａ（５Ｂ，９Ａ，９Ｂ）を構成する各単体リレー５Ａ１，５Ａ２，５Ａ３（５Ｂ１，９Ａ１，９Ｂ１）の搭載スペースＷ１，Ｗ２，Ｗ３（Ｗ４，Ｗ５，Ｗ６）が個別に形成される。
【００１０】
そして、この車載リレーボックス１００では、ファン制御システム３の仕様について、その仕様３Ａ（３Ｂ）が選ばれた場合は、図４（図５）の様に、各搭載スペースＷ１〜Ｗ３（Ｗ４）にそれぞれ、その仕様３Ａ（３Ｂ）で使用されるリレー５の仕様５Ａ（５Ｂ）を構成するメカリレー５Ａ１，５Ａ２，５Ａ３（５Ｂ１）が搭載される。そして、選ばれなかった仕様３Ｂ（３Ａ）で使用されるリレー５の仕様５Ｂ（５Ａ）を構成するメカリレー５Ｂ１（５Ａ１，５Ａ２，５Ａ３）の搭載スペースＷ４（Ｗ１〜Ｗ３）は、空きとなる（空きの搭載スペースには×印が記されている。以下同様）。
【００１１】
同様に、ランプ制御システム７について、その仕様７Ａ（７Ｂ）が選ばれた場合は、図４（図５）の様に、各搭載スペースＷ５（Ｗ６）にそれぞれ、その仕様７Ａ（７Ｂ）で使用されるリレー９の仕様９Ａ（９Ｂ）を構成するメカリレー９Ａ１（９Ｂ１）が搭載される。そして、選ばれなかったランプ制御システム７の仕様７Ｂ（７Ａ）で使用されるリレー９の仕様９Ｂ（９Ａ）を構成するメカリレー９Ｂ１（９Ａ１）の搭載スペースＷ６（Ｗ５）は、空きとなる。
【００１２】
【発明が解決しようとする課題】
従来の車載リレーボックス１００では、上述の通り、各リレー５，９の各仕様５Ａ，５Ｂ，９Ａ，９Ｂを構成する各メカリレー５Ａ１，５Ａ２，５Ａ３，５Ｂ１，９Ａ１，９Ｂ１の搭載スペースＷ１〜Ｗ６はそれぞれ個別に形成されているため、それら各リレー５，９の各仕様５Ａ，５Ｂ，９Ａ，９Ｂを構成するメカリレー５Ａ１，５Ａ２，５Ａ３，５Ｂ１，５Ｂ２の数だけ搭載スペースＷ１〜Ｗ６を形成する必要があり、車載リレーボックスが大型化する欠点があった。
【００１３】
更に、従来の車載リレーボックス１００では、上述の通り、リレー５，９の仕様５Ａ，９Ａ（５Ｂ，９Ｂ）が選ばれた場合は、選ばれなかった仕様５Ｂ，９Ｂ（５Ａ，９Ａ）を構成する各メカリレー５Ｂ１，９Ｂ１（５Ａ１，５Ａ２，５Ａ３，９Ａ１）の搭載スペースＷ４，Ｗ６（Ｗ１〜Ｗ３，Ｗ５）は空きとなり、スペースが無駄に使用されているという欠点があった。
【００１４】
そこで、この発明の課題は、スペースの無駄を低減できて小型化が図れる車載リレーボックスを提供することにある。
【００１５】
【課題を解決するための手段】
上記課題を解決するためには、請求項１に記載の発明は、複数の仕様の用意された車載システム内の負荷の給電制御に使用されるリレーが、前記車載システムの前記複数の仕様の中から選ばれた一の仕様に応じて、１つ以上の単体リレーの組合せにより異なる仕様に構成されて搭載される車載リレーボックスであって、前記リレーについての前記車載システムの前記複数の仕様の中の一の仕様に対する仕様を構成する前記各単体リレーの搭載スペースが、前記車載システムの前記複数の仕様の中の他の仕様に対する仕様を構成する前記各単体リレーの搭載スペースとして兼用される様にして、前記リレーについての前記車載システムの前記複数の仕様の各々に対する各仕様を構成する前記各単体リレーの搭載スペースが形成されるものである。
【００１６】
請求項２に記載の発明は、前記リレーの前記各仕様を構成する前記各単体リレーはそれぞれ、その外形が同一形状及び同一寸法に標準化されるものである。
【００１７】
請求項３に記載の発明は、前記リレーの前記各仕様を構成する前記各単体リレーはそれぞれ、半導体リレーとして構成されるものである。
【００１８】
【発明の実施の形態】
図１は本発明の実施の形態に係る車載リレーボックスの模式図であり且つ該車載リレーボックスに於けるリレーの搭載状態の一例図である。図２は図１の車載リレーボックスに於けるリレーの搭載状態の他の一例図である。図３は図１の車載リレーボックスの要部の構成の一例の平面図である。
【００１９】
この実施の形態に係る車載リレーボックス１は、それぞれ複数の仕様の用意された車載システム内の負荷の給電制御に使用される１つ以上（ここでは２つ）のリレーをそれぞれ、その給電制御の対象とする車載システムの上記複数の仕様の中から選ばれた仕様に応じて、１つ以上の単体リレーの組合せにより異なる仕様に構成して搭載すると共に、それら各車載システムに使用されるヒューズを搭載するものである。
【００２０】
ここでは、上記各車載システムとして、例えば従来例同様、２つの仕様（図６のファン直並列制御仕様３Ａ及び図７のファン回転数制御仕様３Ｂ）が用意されたファン制御システム３、及び、２つの仕様（図８の通常制御仕様７Ａ及び図９のＨＩＤ制御仕様７Ｂ）が用意されたライト制御システム７を給電制御の対象とする。
【００２１】
ここでは、各車載システム３，７の負荷Ｆ，Ｒの給電制御に使用される各リレー５，９の各々の各仕様５Ａ，５Ｂ，９Ａ，９Ｂはそれぞれ、従来例の場合と異なり、１つ以上の互いに外形が同一形状及び同一寸法に標準化された単体リレーの組合せを用いて構成される。これら各単体リレーはそれぞれ、例えば半導体リレーとして構成されることで、その外形が同一形状及び同一寸法に標準化される。
【００２２】
詳細には、ここでのファン制御システム３の仕様３Ａに使用されるリレー５の仕様５Ａは、例えば図６の仕様５Ａに於いて、例えばｃ接点メカリレー５Ａ１はそのままで、各ａ接点メカリレー５Ａ２，５Ａ３だけを上記半導体リレー（以後半導体リレー５Ａ２，５Ａ３と称す）に置換して構成し直したものとして構成される（即ち１つのメカリレー５Ａ１及び２つの半導体リレー５Ａ２，５Ａ３の組合せにより構成される）。
【００２３】
又、ここでのファン制御システム３の仕様３Ｂに使用されるリレー５の仕様５Ｂは、例えば図７の仕様５Ｂに於いて、各メカリレー５Ｂ１を上記半導体リレー（以後半導体リレー５Ｂ１と称す）に置換して構成し直したものとして構成される（即ち１つの半導体リレー５Ｂ１により構成される）。
【００２４】
又、ここでのライト制御システム７の仕様７Ａ（７Ｂ）に使用されるリレー９の仕様９Ａ（９Ｂ）は、例えば図８（図９）の仕様９Ａ（９Ｂ）に於いて、メカリレー９Ａ１（９Ｂ１）を上記半導体リレー（以後半導体リレー９Ａ１（９Ｂ１）と称す）に置換して構成し直したものとして構成される（即ち１つの半導体リレー９Ａ１（９Ｂ１）により構成される）。
【００２５】
この車載リレーボックス１の内部には、図１の様に、各車載システム３，７に使用される各リレー５，９の各仕様５Ａ，５Ｂ，９Ａ，９Ｂを構成する各単体リレー５Ａ１，５Ａ２，５Ａ３，５Ｂ１，９Ａ１，９Ｂ１が搭載される搭載スペースＳ１〜Ｓ４と、各車載システム３，７で使用される各ヒューズＨ１〜Ｈ５が搭載される搭載スペースＵ１〜Ｕ３が形成されると共に、それら各単体リレー５Ａ１，５Ａ２，５Ａ３，５Ｂ１，９Ａ１，９Ｂ１と各ヒューズＨ１〜Ｈ５とを所要の接続関係で接続する各配線路Ｌ１〜Ｌ６と、該配線路Ｌ１〜Ｌ６、と各車載システム３，７側の配線路（図示省略）との接続用の端子Ｔ１〜Ｔ８が備えられる。
【００２６】
ここでは、メカリレー５Ａ１の搭載スペースは搭載スペースＳ１により形成される。又、各半導体リレー５Ａ２，５Ａ３，５Ｂ１，９Ａ１，９Ｂ１の搭載スペースは、搭載スペースＳ２〜Ｓ４により形成される。
【００２７】
詳細には、ここでは、リレー５の仕様５Ａ（５Ｂ）を構成する各半導体リレー５Ａ２，５Ａ３（５Ｂ１）の搭載スペースはそれぞれ、搭載スペースＳ２，Ｓ３（Ｓ２）により形成される。即ち、リレー５の仕様５Ａを構成する半導体リレー５Ａ２の搭載スペースＳ２は、リレー５の仕様５Ｂを構成する半導体リレー５Ｂ１の搭載スペースと兼用される。又、リレー９の仕様９Ａ（９Ｂ）を構成する半導体リレー９Ａ１（９Ｂ１）の搭載スペースは、搭載スペースＳ４（Ｓ４）により形成される。即ち、リレー９の仕様９Ａを構成する半導体リレー９Ａ１の搭載スペースＳ４は、リレー９の仕様９Ｂを構成する半導体リレー９Ｂ１の搭載スペースと兼用される。
【００２８】
この車載リレーボックス１には半導体モジュール１９が備えられており、半導体リレー用の搭載スペースＳ２〜Ｓ４は、この半導体モジュール１９内に形成される。
【００２９】
この半導体モジュール１９は、例えば図３の様に、ケース１９ａ内に、所定数（ここでは例えば３個分）の半導体リレー用の搭載スペースＳ２〜Ｓ４が形成されると共に、それら各搭載スペースＳ２〜Ｓ４に搭載された上記各半導体リレー（図３では例えば各半導体リレー５Ａ２，５Ａ３，９Ａ１が搭載された場合で図示される。）と、各搭載スペースＳ２〜Ｓ４に搭載された上記各半導体リレーの各入出力端子と電気接続された各端子Ｔ９〜Ｔ１４（図１参照）が収容配設されたコネクタ１９ｂとが備えられて構成される。このコネクタ１９ｂ内の各端子Ｔ９〜Ｔ１４に上記配線路Ｌ１〜Ｌ６が接続されることで、搭載スペースＳ２〜Ｓ４に搭載された上記各半導体リレーに上記配線路Ｌ１〜Ｌ６が接続される。
【００３０】
詳細には、ケース１９ａは例えば上面開放の薄型状の箱体に形成されており、その底部上に所定の配列（図３では一列）で配置される様にして上記所定数の半導体リレー用の搭載スペースＳ２〜Ｓ４が形成される。そして、コネクタ１９ｂは例えばケース１９ａの周壁の外側面に突出状に配設される。
【００３１】
尚、上記所定数としては、リレー５の各仕様５Ａ，５Ｂの中で一番多くの単体リレーを使用する仕様（ここでは５Ａ）についてのその単体リレーの数（ここでは３個）と、リレー９の各仕様９Ａ，９Ｂの中で一番多くの単体リレーを使用する仕様（ここでは９Ａ，９Ｂ）についてのその単体リレーの数（ここでは１個）との総和が採用される。
【００３２】
次に、リレー５，９及びヒューズＨ１〜Ｈ５の搭載状態の詳細を説明する。
【００３３】
先ず、ファン制御システム３の仕様について、その仕様３Ａが選ばれた場合は、図１の様に、単体リレー用の搭載スペースＷ１〜Ｗ３にそれぞれ、その仕様３Ａで使用されるリレー５の仕様５Ａを構成する単体リレー５Ａ１，５Ａ２，５Ａ３が搭載されると共に、ヒューズ用の搭載スペースＵ１，Ｕ２にそれぞれ、その仕様３Ａで使用されるヒューズＨ１，Ｈ２が搭載される。
【００３４】
そして、単体リレー５Ａ１，５Ａ２，５Ａ３及びヒューズＨ１，Ｈ２及び端子Ｔ１〜Ｔ６が所要の接続関係で接続される様に配線路Ｌ１〜Ｌ３が配索される。ここでは例えば、単体リレー５Ａ１（５Ａ２）及びヒューズＨ１（Ｈ２）が直列接続されて各端子Ｔ１とＴ２（Ｔ３とＴ４）間に介装接続される様に各配線路Ｌ１（Ｌ２）が配索される。又、単体リレー５Ａ３が端子Ｔ５とＴ６間に介装接続される様に配線路Ｌ３が配索される。この様にしてファン制御システム３の仕様３Ａで使用されるリレー５の仕様５Ａ及びヒューズＨ１，Ｈ２が搭載される。
【００３５】
他方、ファン制御システム３の仕様について、その仕様３Ｂが選ばれた場合は、図２の様に、単体リレー用の搭載スペースＷ２に、その仕様３Ｂで使用されるリレー５の仕様５Ｂを構成する単体リレー５Ｂ１が搭載されると共に、ヒューズ用の搭載スペースＵ２に、その仕様３Ｂで使用されるヒューズＨ３が搭載される。尚、ここでは、搭載スペースＳ１，Ｓ３，Ｕ１は空きとなる（空きの搭載スペースには×印が記されている。以下同様）。
【００３６】
そして、単体リレー５Ｂ１及びヒューズＨ３及び端子Ｔ３，Ｔ４が所要の接続関係で接続される様に配線路Ｌ５が配索される。ここでは例えば、単体リレー５Ｂ１及びヒューズＨ３が直列接続されて各端子Ｔ３とＴ４間に介装接続される様に各配線路Ｌ５が配索される。尚、この仕様３Ｂで使用されない端子Ｔ１，Ｔ２，Ｔ５，Ｔ６は配設されない様にしても構わない。この様にしてファン制御システム３の仕様３Ｂで使用されるリレー５の仕様５Ｂ及びヒューズＨ３が搭載される。
【００３７】
同様に、ランプ制御システム７の仕様について、その仕様７Ａ（７Ｂ）が選ばれた場合は、図１（図２）の様に、単体リレー用の搭載スペースＷ４に、その仕様７Ａ（７Ｂ）で使用されるリレー９の仕様９Ａ（９Ｂ）を構成する単体リレー９Ａ１（９Ｂ１）が搭載されると共に、ヒューズ用の搭載スペースＵ３に、その仕様７Ａ（７Ｂ）で使用されるヒューズＨ４（Ｈ５）が搭載される。
【００３８】
そして、単体リレー９Ａ１（９Ｂ１）及び各ヒューズＨ４（Ｈ５）及び端子Ｔ７，Ｔ８が所要の接続関係で接続される様に配線路Ｌ４（Ｌ６）が配索される。ここでは例えば、各ヒューズＨ４（Ｈ５）の一端がそれぞれ各端子Ｔ７に接続され、各ヒューズＨ４（Ｈ５）の他端が端子Ｔ１３に共通接続され、端子Ｔ８，Ｔ１４同士が接続される様に配線路Ｌ４（Ｌ６）が配索される。この様にしてランプ制御システム７の仕様７Ａ（７Ｂ）で使用されるリレー９の仕様９Ａ（９Ｂ）及びヒューズＨ３（Ｈ５）が搭載される。
【００３９】
以上のように構成された車載リレーボックス１によれば、リレー５（９）についてのその給電制御の対象とする車載システム３（７）に用意された複数の仕様３Ａ，３Ｂ（７Ａ，７Ｂ）の中の一の仕様３Ａ（７Ａ）に対する仕様５Ａ（９Ａ）を構成する単体リレー５Ａ２（９Ａ１）の搭載スペースＳ２（Ｓ４）が、そのリレー５（９）についての車載システム３（７）に用意された複数の仕様３Ａ，３Ｂ（７Ａ，７Ｂ）の中の他の仕様３Ｂ（７Ｂ）に対する仕様５Ｂ（９Ｂ）を構成する単体リレー５Ｂ１（９Ｂ１）の搭載スペースとして兼用される様にして、そのリレー５（９）についての車載システム３（７）に用意された複数の仕様３Ａ，３Ｂ（７Ａ，７Ｂ）の各々に対する各仕様５Ａ，５Ｂ（９Ａ，９Ｂ）を構成する各単体リレー５Ａ１，５Ａ２，５Ａ３，５Ｂ１（９Ａ１，９Ｂ１）の搭載スペースＳ１〜Ｓ３（Ｓ４）が形成されるため、車載システム３（７）に用意された複数の仕様３Ａ，３Ｂ（７Ａ，７Ｂ）に対応できると共に、選ばれなかった車載システム３（７）の仕様に対するリレー５（９）の仕様を構成する各単体リレーの搭載スペースの空きを低減でき、車載リレーボックス１の小型化が図れる。
【００４０】
ここでは、具体的に、従来例の車載リレーボックス１００では、車載システム３（７）のリレー５（７）については、４個（２個）の単体リレー用の搭載スペースＷ１〜Ｗ４（Ｗ５，Ｗ６）を必要としていたが、この実施の形態の車載リレーボックス１では、３個（１個）の単体リレー用の搭載スペースＳ１〜Ｓ３（ＳＷ４）を形成すればよく、各１個分の搭載スペースが減少し、その分、スペースの無駄が低減できて小型化が図れる。車載リレーボックス１全体で見れば、従来例の車載リレーボックス１００と比べて、２個分の単体リレー用の搭載スペースが減少されている。
【００４１】
又、リレー５（９）の各仕様５Ａ，５Ｂ（９Ａ，９Ｂ）を構成する各単体リレー５Ａ２，５Ａ３，５Ｂ１（９Ａ１，９Ｂ１）の外形が同一形状及び同一寸法に標準化されるため、それら各単体リレー５Ａ２，５Ａ３，５Ｂ１（９Ａ１，９Ｂ１）の搭載スペースの兼用が容易に行える様になる。
【００４２】
又、各単体リレー５Ａ２，５Ａ３，５Ｂ１（９Ａ１，９Ｂ１）は半導体リレーとして構成されるため、その外形の同一形状及び同一寸法への標準化が容易に行える。
【００４３】
通常、半導体リレーは、パッケージサイズが標準化されており、メカリレーの様に外形による搭載スペースの制約が無く、各種の性能を持ったものが多くのメーカにより製造されているので、各単体リレー５Ａ２，５Ａ３，５Ｂ１（９Ａ１，９Ｂ１）の外形の同一形状及び同一寸法への標準化の目的に使用することに適している。又、半導体リレーにはメカリレーの様な接点寿命による制約が無いため、かかる制約に縛られること無く、最適な単体リレーの選定ができて、各単体リレー５Ａ２，５Ａ３，５Ｂ１（９Ａ１，９Ｂ１）の外形の同一形状及び同一寸法への標準化を行える。
【００４４】
【発明の効果】
請求項１に記載の発明によれば、リレーについてのその給電制御の対象とする車載システムに用意された複数の仕様の中の一の仕様に対する仕様を構成する各単体リレーの搭載スペースが、そのリレーについての前記車載システムの前記複数の仕様の中の他の仕様に対する仕様を構成する各単体リレーの搭載スペースとして兼用される様にして、そのリレーについての前記車載システムの前記複数の仕様の各々に対する各仕様を構成する前記各単体リレーの搭載スペースが形成されるため、前記車載システムの前記複数の仕様に対応できると共に、選ばれなかった前記車載システムの仕様に対する仕様を構成する各単体リレーの搭載スペースの空きを低減でき、車載リレーボックスの小型化が図れる。
【００４５】
請求項２に記載の発明によれば、各単体リレーの外形が同一形状及び同一寸法に標準化されるため、各単体リレーの搭載スペースの兼用が容易に行える様になる。
【００４６】
請求項３に記載の発明によれば、各単体リレーが半導体リレーとして構成されるため、各単体リレーの外形の同一形状及び同一寸法への標準化が容易に行える。
【図面の簡単な説明】
【図１】本発明の実施の形態に係る車載リレーボックスの模式図であり且つ該車載リレーボックスに於けるリレーの搭載状態の一例図である。
【図２】図１の車載リレーボックスに於けるリレーの搭載状態の他の一例図である。
【図３】図１の車載リレーボックスの要部の構成の一例の平面図である。
【図４】従来の車載リレーボックスの模式図であり且つ該車載リレーボックスに於けるリレーの搭載状態の一例図である。
【図５】図４の車載リレーボックスに於けるリレーの搭載状態の他の一例図である。
【図６】ファン制御システムの一の仕様の構成の一例図である。
【図７】ファン制御システムの他の仕様の構成の一例図である。
【図８】ライト制御システムの一の仕様の構成の一例図である。
【図９】ライト制御システムの他の仕様の構成の一例図である。
【符号の説明】
１  車載リレーボックス
３  ファン制御システム
５  ファン制御システム３内のファンの給電制御に使用されるリレー
５Ａ１，５Ａ２，５Ａ３  リレー５の仕様５Ａを構成する単体リレー
５Ｂ１  リレー５の仕様５Ｂを構成する単体リレー
７  ライト制御システム
９  ランプ制御システム７内のランプＲの給電制御に使用されるリレー
９Ａ１  リレー９の仕様９Ａを構成する単体リレー
９Ｂ１  リレー９の仕様９Ｂを構成する単体リレー
Ｓ１〜Ｓ４  搭載スペース
Ｆ  ファン
Ｒ  ランプ
【図１】
2004173446.tif 000003
【図２】
2004173446.tif 000004
【図３】
2004173446.tif 000005
【図４】
2004173446.tif 000006
【図５】
2004173446.tif 000007
【図６】
2004173446.tif 000008
【図７】
2004173446.tif 000009
【図８】
2004173446.tif 000010
【図９】
2004173446.tif 000011